(57)【要約】【課題】作物の生育を防除することなく泥面から雑草だけを選択的に除去できる画期的な除草装置を提供する。【解決手段】複数の線体３の各下端を泥面７に沈み込ませこの各線体３の沈み込み深さＬを前記泥面７に生える雑草ａの根に到達し且つ作物ｂの根に到達しない所定深さＬに設定した構成の泥面引掻き手段Ａと、複数の線体５の各下端側を前記泥面７に当接すると共に各線体５の下端側に引掛け突部５ａを設け、この各線体５の引掛け突部５ａが前記泥面７に生える雑草ａを引っ掛けて泥面７から除去し、且つこの引掛け突部５ａが前記泥面７に生える作物ｂに当接した際にはこの作物ｂとの当接押圧により線体５が撓み前記引掛け突部５ａが作物ｂに対して左右に回避動してこの作物ｂを泥面７から除去し得ないように各線体５を適宜な可撓性に設定した構成の雑草引掛け手段Ｂとを備えた除草体２を、前記泥面７を走行する走行体１に牽引走行自在に設けた構成の除草装置。【選択図】図１
2007097410.tif 000002
【特許請求の範囲】
【請求項１】
泥面を走行する走行体に牽引されて牽引走行する除草体をこの走行体に設け、この除草体は複数の線体により前記泥面を引っ掻く泥面引掻き手段を備え、この泥面引掻き手段の後方側に複数の線体により前記泥面に生える雑草を引っ掛ける雑草引掛け手段を備えた構成とし、前記泥面引掻き手段は、複数の各線体の下端を前記泥面に沈み込ませると共にこの沈み込み深さを前記泥面に生える雑草の根に到達し且つ作物の根に到達しない所定深さに設定してこの線体によりこの泥面の下層の雑草の根を掻き切る根切り機能を有する構成とし、前記雑草引掛け手段は複数の各線体の下端側を前記泥面に当接すると共にこの各線体の下端側に引掛け突部を設けて、この各線体の引掛け突部が前記泥面に生える雑草に当接した際にはこの雑草を引掛け突部に引っ掛けて泥面から除去し、且つこの引掛け突部が前記泥面に生える作物に当接した際にはこの作物との当接押圧により線体が撓み前記引掛け突部が作物に対して左右に回避動してこの作物を泥面から除去しないように雑草引掛け手段の各線体の可撓性を設定したことを特徴とする除草装置。
【請求項２】
前記泥面引掻き手段は、前記複数の線体を下方突出状態にして前記除草体の牽引走行方向と交差する左右方向に並設状態に配設した構成とし、前記雑草引掛け手段は、前記泥面引掻き手段の各線体の後方にこの雑草引掛け手段の各線体の引掛け突部が縦列配設されるように複数の線体を配設した構成としたことを特徴とする請求項１記載の除草装置。
【請求項３】
前記泥面引掻き手段は、前記複数の線体の下方側にこの線体が前記泥面に沈み込むことを阻止する沈み防止部を設けて、この線体の前記泥面に対する沈み込み深さを設定したことを特徴とする請求項１，２のいずれか１項に記載の除草装置。
【請求項４】
前記沈み防止部は、下方突出状態に設けた前記複数の各線体の垂下途中位置にこの各線体の下方突出方向と交差方向にして前記泥面に沿設方向に突出部を設けて、この各突出部を前記泥面に沿設当接することで各線体の沈み込みを阻止する構成としたことを特徴とする請求項３記載の除草装置。
【請求項５】
前記泥面引掻き手段の各線体の前記泥面に対する沈み込み深さは、略５ｍｍ〜略１５ｍｍの深さに設定したことを特徴とする請求項１〜４のいずれか１項に記載の除草装置。
【請求項６】
前記雑草引掛け手段は、前記泥面引掻き手段の各線体の後方に縦列配設する複数の線体から成る第一引掛け部と、この第一引掛け部の後方に縦列配設する複数の線体から成る第二引掛け部とで構成し、前記第一引掛け部は、前記泥面引掻き手段に根を掻き切られた雑草を各線体の引掛け突部に引っ掛けて前記泥面から抜き出せるようにこの第一引掛け部の各線体の可撓性を設定し、前記第二引掛け部は、前記泥面の上面に生える苔や水草などの雑草を各線体の引掛け突部に引っ掛けて泥面から除草できるようにこの第二引掛け部の各線体の可撓性を設定したことを特徴とする請求項１〜５のいずれか１項に記載の除草装置。
【請求項７】
前記第一引掛け部は、複数の線体を下方突出状態にして前記除草体の牽引走行方向と略直交する左右方向に所定間隔を介して並設配設し、この複数の線体の並設方向に所定間隔を介して複数の引掛け突部を並設配設した構成としたことを特徴とする請求項６記載の除草装置。
【請求項８】
前記第二引掛け部は、複数の線体を下方突出状態にして前記除草体の牽引走行方向と略直交する左右方向に所定間隔を介して並設配設し、この複数の線体の並設方向に略連続的に隙間無く複数の引掛け突部を並設配設した構成としたことを特徴とする請求項６，７のいずれか１項に記載の除草装置。
【請求項９】
前記雑草引掛け手段は、各線体の下端側を屈曲してこの各線体の下端側に引掛け突部を設けた構成としたことを特徴とする請求項１〜８のいずれか１項に記載の除草装置。
【請求項１０】
前記走行体を走行する走行駆動源の駆動力によって前記雑草引掛け手段の各線体を上下揺動する揺動機構を備えたことを特徴とする請求項１〜９のいずれか１項に記載の除草装置。
【請求項１１】
前記走行体の走行車輪の外周部に設けた突出部と当接する位置に当接押動部を上下揺動自在に設けて、前記走行車輪の走行回転時に前記当接押動部がこの走行車輪の突出部と当接して前記当接押動部が上下揺動するように構成すると共に、この当接押動部の揺動に連動して前記線体を上下揺動する連動機構を備えて前記走行体を走行する走行駆動源の駆動力によって前記雑草引掛け手段の各線体を上下揺動する揺動機構を備えたことを特徴とする請求項１０記載の除草装置。
【請求項１２】
前記走行体は、泥面として水が張られた水田の底面を、前記除草体を牽引しながら走行し得る構成の走行体を採用した構成とし、この泥面としての水が張られた水田の底面をこの走行体が走行すると共に前記除草体の各線体が泥面を牽引することでこの泥面の泥が泥面上に張られた水中に攪拌されるように構成したことを特徴とする請求項１〜１１のいずれか１項に記載の除草装置。
【発明の詳細な説明】
【技術分野】
【０００１】
本発明は、例えば水田に水を張った状態でこの水田の泥面（底面）に生える雑草を除草する除草装置に関するものである。
【背景技術】
【０００２】
従来、稲の苗が植えられた水田の除草は、生産者が水田に入り、鎌などの草取り具を使用して雑草を手刈りするか、或いは、除草剤を水田に散布するなどして行われている。
【０００３】
これは、従来の一般的な農耕地用の除草装置を使用して、水が張られた水田の除草を機械的に達成することができない為である。
【０００４】
即ち、従来の一般的な除草装置は、例えば走行体の後方に除草体を設け、この走行体の走行により除草体を牽引走行せしめると共に、この除草体によって農耕地の地面や泥面の除草を行う構成であるが、この除草体の多くは、回転刃によって雑草の生える農耕地の地面や泥面を雑草諸共ほり起こすと共に、この回転刃によりこの地面や泥面の土壌と雑草とを攪拌して雑草を枯らし生育を防除することで除草を行うように構成している為、回転刃を有する除草体によって雑草だけでなく作物（稲の苗）までも掘り起こしてしまいこの作物の生育を防除してしまうという問題を有し、よって、従来の農耕地用の回転式除草装置では、水田に植えられた作物の生育を防除することなくこの水田に生える雑草だけを選択的に且つ機械的に除草することができない為である。
【０００５】
しかしながら、この水田の除草作業を、生産者が水田に入って鎌などの草取り具によって雑草を手刈りする方法で行なう場合は、多大な労力と時間を要してしまう。
【０００６】
一方、除草剤を使用した場合には、僅かな労力で簡単に効率良く雑草の生育を防除できるものの、化学薬剤を使用することによる作物の品質低下や、地下水汚染などの環境上の問題，同じ除草剤の繰り返し使用による除草効果の低減（除草剤に対する耐性が雑草に生ずる）などの懸念があるとして除草剤を好んで使用しない生産者も多い。
【０００７】
しかしながら、例えば田植え直後などの水田に雑草が繁殖してしまうことは稲の苗（作物）の生育にとって重大な問題を有し、よって、この水田の雑草を選択的に、且つ機械的に効率良く除草できる秀れた除草装置の開発が強く望まれる。
【発明の開示】
【発明が解決しようとする課題】
【０００８】
本発明は、上記問題点を解決し得、例えば水が張られた水田など、泥面を走行する走行体に除草体を設けてこの走行体によって除草体を泥面に牽引走行せしめた際に、この除草体によって前記泥面に生える作物を泥面から除去してしまうことなく、この泥面に生える雑草だけを選択的に、且つ機械的に除去でき、よって、例えば稲の苗が植えられた水田のように作物と雑草とが混在する泥面の除草作業に極めて有効な画期的で実用性に秀れた除草装置を提供することを課題とする。
【課題を解決するための手段】
【０００９】
添付図面を参照して本発明の要旨を説明する。
【００１０】
泥面７を走行する走行体１に牽引されて牽引走行する除草体２をこの走行体１に設け、この除草体２は複数の線体３により前記泥面７を引っ掻く泥面引掻き手段Ａを備え、この泥面引掻き手段Ａの後方側に複数の線体５により前記泥面７に生える雑草ａを引っ掛ける雑草引掛け手段Ｂを備えた構成とし、前記泥面引掻き手段Ａは、複数の各線体３の下端を前記泥面７に沈み込ませると共にこの沈み込み深さＬを前記泥面７に生える雑草ａの根に到達し且つ作物ｂの根に到達しない所定深さＬに設定してこの線体３によりこの泥面７の下層の雑草ａの根を掻き切る根切り機能を有する構成とし、前記雑草引掛け手段Ｂは複数の各線体５の下端側を前記泥面７に当接すると共にこの各線体５の下端側に引掛け突部５ａを設けて、この各線体５の引掛け突部５ａが前記泥面７に生える雑草ａに当接した際にはこの雑草ａを引掛け突部５ａに引っ掛けて泥面７から除去し、且つこの引掛け突部５ａが前記泥面７に生える作物ｂに当接した際にはこの作物ｂとの当接押圧により線体５が撓み前記引掛け突部５ａが作物ｂに対して左右に回避動してこの作物ｂを泥面７から除去しないように雑草引掛け手段Ｂの各線体５の可撓性を設定したことを特徴とする除草装置に係るものである。
【００１１】
また、前記泥面引掻き手段Ａは、前記複数の線体３を下方突出状態にして前記除草体２の牽引走行方向と交差する左右方向に並設状態に配設した構成とし、前記雑草引掛け手段Ｂは、前記泥面引掻き手段Ａの各線体３の後方にこの雑草引掛け手段Ｂの各線体５の引掛け突部５ａが縦列配設されるように複数の線体５を配設した構成としたことを特徴とする請求項１記載の除草装置に係るものである。
【００１２】
また、前記泥面引掻き手段Ａは、前記複数の線体３の下方側にこの線体３が前記泥面７に沈み込むことを阻止する沈み防止部４を設けて、この線体３の前記泥面７に対する沈み込み深さＬを設定したことを特徴とする請求項１，２のいずれか１項に記載の除草装置に係るものである。
【００１３】
また、前記沈み防止部４は、下方突出状態に設けた前記複数の各線体３の垂下途中位置にこの各線体３の下方突出方向と交差方向にして前記泥面７に沿設方向に突出部４ａを設けて、この各突出部４ａを前記泥面７に沿設当接することで各線体３の沈み込みを阻止する構成としたことを特徴とする請求項３記載の除草装置に係るものである。
【００１４】
また、前記泥面引掻き手段Ａの各線体３の前記泥面７に対する沈み込み深さＬは、略５ｍｍ〜略１５ｍｍの深さＬに設定したことを特徴とする請求項１〜４のいずれか１項に記載の除草装置に係るものである。
【００１５】
また、前記雑草引掛け手段Ｂは、前記泥面引掻き手段Ａの各線体３の後方に縦列配設する複数の線体５から成る第一引掛け部Ｂ１と、この第一引掛け部Ｂ１の後方に縦列配設する複数の線体５から成る第二引掛け部Ｂ２とで構成し、前記第一引掛け部Ｂ１は、前記泥面引掻き手段Ａに根を掻き切られた雑草ａを各線体５の引掛け突部５ａに引っ掛けて前記泥面７から抜き出せるようにこの第一引掛け部Ｂ１の各線体５の可撓性を設定し、前記第二引掛け部Ｂ２は、前記泥面７の上面に生える苔や水草などの雑草ａを各線体５の引掛け突部５ａに引っ掛けて泥面７から除草できるようにこの第二引掛け部Ｂ２の各線体５の可撓性を設定したことを特徴とする請求項１〜５のいずれか１項に記載の除草装置に係るものである。
【００１６】
また、前記第一引掛け部Ｂ１は、複数の線体５を下方突出状態にして前記除草体２の牽引走行方向と略直交する左右方向に所定間隔を介して並設配設し、この複数の線体５の並設方向に所定間隔を介して複数の引掛け突部５ａを並設配設した構成としたことを特徴とする請求項６記載の除草装置に係るものである。
【００１７】
また、前記第二引掛け部Ｂ２は、複数の線体５を下方突出状態にして前記除草体２の牽引走行方向と略直交する左右方向に所定間隔を介して並設配設し、この複数の線体５の並設方向に略連続的に隙間無く複数の引掛け突部５ａを並設配設した構成としたことを特徴とする請求項６，７のいずれか１項に記載の除草装置に係るものである。
【００１８】
また、前記雑草引掛け手段Ｂは、各線体５の下端側を屈曲してこの各線体５の下端側に引掛け突部５ａを設けた構成としたことを特徴とする請求項１〜８のいずれか１項に記載の除草装置に係るものである。
【００１９】
また、前記走行体１を走行する走行駆動源１ａの駆動力によって前記雑草引掛け手段Ｂの各線体５を上下揺動する揺動機構６を備えたことを特徴とする請求項１〜９のいずれか１項に記載の除草装置に係るものである。
【００２０】
また、前記走行体１の走行車輪８の外周部に設けた突出部８ａと当接する位置に当接押動部９を上下揺動自在に設けて、前記走行車輪８の走行回転時に前記当接押動部９がこの走行車輪８の突出部８ａと当接して前記当接押動部９が上下揺動するように構成すると共に、この当接押動部９の揺動に連動して前記線体５を上下揺動する連動機構10を備えて前記走行体１を走行する走行駆動源１ａの駆動力によって前記雑草引掛け手段Ｂの各線体５を上下揺動する揺動機構６を備えたことを特徴とする請求項１０記載の除草装置に係るものである。
【００２１】
また、前記走行体１は、泥面７として水が張られた水田の底面を、前記除草体２を牽引しながら走行し得る構成の走行体１を採用した構成とし、この泥面７としての水が張られた水田の底面をこの走行体１が走行すると共に前記除草体２の各線体３，５が泥面７を牽引することでこの泥面７の泥が泥面７上に張られた水中に攪拌されるように構成したことを特徴とする請求項１〜１１のいずれか１項に記載の除草装置に係るものである。
【発明の効果】
【００２２】
本発明は上述のように構成したから、除草体の牽引走行時に、この除草体の泥面引掻き手段の根切り機能によって、作物の根を掻き切ることなく雑草の根だけを掻き切ることができる。
【００２３】
また、雑草引っ掛け手段の各線体は単に硬い線状の構成ではなく、適宜な可撓性を有する線体に構成して、この各線体の引っ掛け突部が作物に当接した際には各線体が撓みこの引掛け突部が作物に対して回避動し、一方、この雑草引掛け手段の各線体の引掛け突部が、前記泥面引掻き手段の根切り機能により根を掻き切られた雑草や、泥面の上面に生える苔や水草などの簡単に（弱い力で）泥面から絡め取れるような雑草に当接した場合にはこれら雑草を引っ掛けて泥面から除去できるように各線体の可撓性を設定しているために、前記泥面から作物を引っ掛けて除去することはなく雑草だけをこの泥面から選択的に除去できる。
【００２４】
また、例えば水が張られた水田のように、泥面上に水が張られた状況においては、この除草体の複数の各線体が泥面と当接したり泥面を引掻いたりしながら牽引されることでこの泥面の上面層の泥を泥面上の水中に攪拌させ、これにより日光が泥面に到達することを抑止（水中が濁り透光率が低下することによる）したり、水中を舞う泥が沈殿することで新たな雑草の芽を泥面下層に埋没するなどして、新たな雑草の生育を防除する秀れた生育防除機能をも発揮することが可能である。
【００２５】
よって、本発明は、例えば、稲の苗（作物）が植えられた水田での除草作業を行う場合に、これまでにおいては作業者が水田に入って雑草を手刈りする重労働や除草剤を使用しての薬剤除草が必須であったところを、本発明品においては、重労働や薬剤などが一切不要で、稲の苗（作物）の生育を防除することなく雑草だけを選択的に、且つ機械的に効率良く、良好に除草することが可能で、更に、例えば水田などの泥面上に水が張られた状況では泥面の泥を泥面上の水中に攪拌させて新たな雑草の生育を防除するといった機能を発揮することも可能で、従って、例えば田植え直後の水田での除草作業に極めて有効な画期的で極めて実用性に秀れた商品価値の高い除草装置となる。
【００２６】
また、請求項２記載の発明においては、牽引走行方向に対して左右に広い範囲の雑草を一度に除草でき、一層作業効率性に秀れた除草装置となる。
【００２７】
また、請求項３，４記載の発明においては、各線体の沈み込み深さを確実に設定通りの所定深さに設定せしめることができ、よって、本発明の作用効果を確実に発揮できる構成を簡易に設計実現可能となる。
【００２８】
また、請求項５記載の発明においては、例えば、稲の苗が植えられた水田においてこの稲の苗（作物）を水田の泥面から除去してしまうことなく確実にこの水田の泥面に生える雑草だけを選択的に除去できる秀れた除草機能を確実に発揮し得、一層稲の苗が植えられた水田での除草作業に有効な秀れた除草装置となる。
【００２９】
また、請求項６〜８記載の発明においては、除草体の除草引掛け手段を第一引掛け部と第二引掛け部とから成る構成とし、例えば、泥面の下層に根を張る雑草の根を泥面引掻き手段で掻き切った後に、第一引掛け部により雑草を引っ掛けて前記泥面の下層に根を張る雑草を泥面から引っこ抜くなどして除去し、この第一引掛け部で除去しきれなかった残余を第二引掛け部により除去する構成とすることで、雑草を段階的に除去できる。
【００３０】
よって、例えば、前記第一引掛け部は、複数の線体を下方突出状態にして前記除草体の牽引走行方向と略直交する左右方向に所定間隔を介して並設配設し、この複数の線体の並設方向に所定間隔を介して複数の引掛け突部を並設配設した構成とすれば、この第一引掛け部の各線体の可撓性を低く（撓みにくく）設定して、規則的に配列された作物はこの複数並設状態の引掛け突部間の隙間を通過させて引っ掛けることはなく、乱雑に生え広がった雑草はこの複数並設状態の引っ掛け突部により引っ掛けて泥面から力強く引っこ抜いて良好に除去し得る構成とすることができる。そして、第二引掛け部は、前記第一引掛け部で除去しきれなかったわずかな残余を泥面から除去すれば良いから、即ち、力強く泥面から引っこ抜かなければならないような前記泥面に根を張る雑草は僅かしか残っておらず且つその他の泥面の上面に生える苔や水草なども軽い力で簡単に泥面から除去できることから、この第二引掛け部の各線体の可撓性は前記第一引掛け部のそれよりも高く（撓み易く）設定すればよく、よって、この第二引掛け部を、例えば、複数の線体を下方突出状態にして前記除草体の牽引走行方向と略直交する左右方向に所定間隔を介して並設配設し、この複数の線体の並設方向に略連続的に隙間無く複数の引掛け突部を並設配設した構成とすれば、前記第一引掛け部で除去しきれなかった残余をこの略隙間無く並設配設された引掛け突部に引掛けてそれだけ隈なく除去できると共にこの引掛け突部が作物に当接しても線体が簡単に撓む為にこの作物を泥面から引っこ抜くことはないなど、この第一引掛け部と第二引掛け部とで雑草引掛け部を構成することにより本発明の秀れた除草機能を一層確実且つ良好に発揮し得る一層実用性に秀れた除草装置となる。
【００３１】
また、請求項９記載の発明においては、極めて簡単な構成で本発明の作用効果を発揮し得る構成を実現でき簡易設計実現可能な生産性に秀れた除草装置となる。
【００３２】
また、請求項１０，１１記載の発明においては、揺動機構を備えることで、走行体を走行するための走行駆動源の駆動力を利用して除草体の雑草引掛け手段に絡み付いた雑草を振り払うことができ（特に水がはられた水田のように泥面上に水がある状態では良好に雑草を水中に振り払うことができ）、走行体の走行駆動源の駆動力を有効に利用できるうえに、雑草引掛け手段の雑草を引掛ける機能低減を自動的に阻止できる秀れた除草機能を有し、一層実用性に秀れた除草装置となる。
【００３３】
また、請求項１２記載の発明においては、上記本発明の秀れた除草機能を水が張られた水田において確実に発揮し得ると共に、泥面としての水田の底面上に張られた水中に泥面（水田の底面）の泥を攪拌させることにより、新たな雑草の生育を防除する機能も確実に発揮できるなど、水田の除草作業に一層有効な除草装置となる。
【発明を実施するための最良の形態】
【００３４】
好適と考える本発明の実施形態（発明をどのように実施するか）を、図面に基づいて本発明の作用を示して簡単に説明する。
【００３５】
走行体１が泥面７を走行すると、この走行体１に設けた除草体２はこの走行体１に牽引されて前記泥面７を牽引走行する。
【００３６】
このように除草体２が牽引走行することでこの除草体２に備えた泥面引掻き手段Ａが複数の線体３によって前記泥面７を引っ掻く。具体的には、前記泥面７に生える雑草ａの根に到達し且つ作物ｂの根に到達しない所定の沈み込み深さＬだけ下端を泥面７に沈み込ませた複数の線体３によってこの泥面７を引っ掻くこととなる。
【００３７】
よって、前記泥面７の下層にして各線体３の下端の沈み込み深さＬより浅い位置に根を張る雑草ａは、この各線体３により根を掻き切られることとなり、一方、この各線体３の下端の沈み込み深さＬより深い位置に根を張る作物ｂ（例えば稲の苗など）はこの各線体３により根を掻き切られることはない。
【００３８】
即ち、除草体２が泥面７を牽引走行した際にこの除草体２の泥面引掻き手段Ａの根切り機能により、前記泥面７に生える作物ｂの根は掻き切られずに雑草ａの根だけが選択的に掻き切られることとなる。
【００３９】
また、この除草体２の前記泥面引掻き手段Ａの後方側に備えた雑草引掛け手段Ｂが複数の線体５により前記泥面７に生える雑草ａを引っ掛ける。具体的には、雑草引掛け手段Ｂの複数の各線体５は適宜な可撓性を有しており、この各線体５の引っ掛け突部５ａが前記泥面７に生える雑草ａに当接した際にはこの雑草ａを引掛け突部５ａにより引っ掛けて、例えば泥面７から引き抜くなどによりこの泥面７から雑草ａを除去することとなり、一方、この各線体５の引掛け突部５ａが前記泥面７に生える作物ｂに当接した際にはこの作物ｂとの当接押圧によって各線体５が撓むことで引掛け突部５ａが作物ｂに対して左右に回避動し、よって、作物ｂはこの各線体５の引掛け突部５ａに引っ掛けられて泥面７から除去されることはない。
【００４０】
即ち、例えば水を張った水田においては主に、泥面７の下層に強固に根を張って簡単には除去できないヒエなどの雑草ａと、泥面７の上面に生える苔や水草などのように簡単に絡め取れる雑草ａとが発生するが、本発明においては、例えば泥面７の下層に強固に根を張るヒエなどの雑草ａは、前記泥面引掻き手段Ａにより根を掻き切って泥面７から引き抜き易くした後に雑草引掛け手段Ｂの各線体の引掛け突部５ａに引っ掛けて泥面７から簡単に除去でき、また、例えば泥面７の上面に生える苔や水草のように簡単に絡め取れる雑草ａもこの各線体５の引掛け突部５ａに引っ掛けて絡め取り泥面７から簡単に除去でき、一方、根を掻き切られることもなく泥面７の下層に根を張る作物ｂは、たとえ各線体５の引掛け突部５ａが当接したとしてもこの作物ｂを引き抜くことはできずに線体５が撓み引掛け突部５ａが作物ｂに対して回避動することとなり作物ｂは泥面７から除去されない。
【００４１】
また、例えば水が張られた水田のように、泥面７上に水が張られた状況においては、この除草体２の複数の各線体３，５が泥面７と当接したり泥面７を引掻いたりしながら牽引されることでこの泥面７の上面層の泥を泥面７上の水中に攪拌させ、これにより日光が泥面７に到達することを抑止（水中が濁り透光率が低下することによる）したり、水中を舞う泥が沈殿することで新たな雑草ａの芽を泥面７下層に埋没するなどして、新たな雑草ａの生育を防除する生育防除機能をも発揮することが可能である。
【００４２】
従って、本発明は、先ず除草体２の牽引走行時に、泥面引掻き手段Ａの根切り機能により作物ｂの根は掻き切られることなく雑草ａの根だけを掻き切り、次いで、雑草引っ掛け手段Ｂの各線体５の引っ掛け突部５ａにより雑草ａだけを引っ掛けて例えば泥面７から引き抜いたり絡め取ったりして泥面７から除去するから、泥面７に生える雑草ａだけを選択的に、且つ機械的に効率良く除草することができ、よって、例えば、稲の苗（作物ｂ）が植えられた水田での除草作業を行う場合に、これまでにおいては作業者が水田に入って雑草を手刈りする重労働や除草剤を使用しての薬剤除草が必須であったところを、本発明品においては、重労働や薬剤などを一切不要とし稲の苗（作物ｂ）の生育を防除することなく、雑草だけを選択的に、且つ機械的に効率良く除草することができ、更に、例えば水田などの泥面上に水が張られた状況では泥面の泥を泥面上の水中に攪拌させて新たな雑草の生育を防除するといった機能を発揮することも可能であるなど、例えば田植え直後の水田での除草作業に極めて有効な画期的で極めて実用性に秀れた除草装置となる。
【００４３】
また、例えば、前記泥面引掻き手段Ａは、前記複数の線体３を下方突出状態にして前記除草体２の牽引走行方向と交差する左右方向に並設状態に配設した構成とし、前記雑草引掛け手段Ｂは、前記泥面引掻き手段Ａの各線体３の後方にこの雑草引掛け手段Ｂの各線体５の引掛け突部５ａが縦列配設されるように複数の線体５を配設した構成とした場合には、この除草体２を牽引走行した際にこの除草体２の牽引走行方向に対して左右に広い範囲の雑草ａを前記泥面引掻き手段Ａと雑草引掛け手段Ｂとで確実に除草できることとなり、除草体２の一回の牽引走行毎にそれだけ広い範囲の雑草ａを確実に除草できる一層効率の良い作業性に秀れた除草装置となる。
【００４４】
また、例えば、前記泥面引掻き手段Ａは、前記複数の線体３の下方側にこの線体３が前記泥面７に沈み込むことを阻止する沈み防止部４を設けて、この線体３の前記泥面７に対する沈み込み深さＬを設定した場合には、各線体３に夫々沈み防止部４が設けられている為に、それだけ各線体３がバラツキなく均一に、狙い通りの沈み込み深さＬだけ泥面７に沈み込ませることが可能となる。
【００４５】
更に、例えば、前記沈み防止部４は、下方突出状態に設けた前記複数の各線体３の垂下途中位置にこの各線体３の下方突出方向と交差方向にして前記泥面７に沿設方向に突出部４ａを設けて、この各突出部４ａを前記泥面７に沿設当接することで各線体３の沈み込みを阻止する構成とした場合には、例えば、各線体３の垂下途中位置に、中空の浮き部材などを設けてこの各線体３の沈み込み深さＬを設定するのではなく、単にこの線体３から前記泥面７に沿設当接する方向に突出状態に突出部４ａを設ける簡易な構成で各線体３の沈み込み深さＬを設定する構成としたから、本発明の作用効果を確実に発揮できるうえに一層簡易設計実現な構成となる。
【００４６】
また、例えば、前記泥面引掻き手段Ａの各線体３の前記泥面７に対する沈み込み深さＬは、略５ｍｍ〜略１５ｍｍの深さＬに設定した場合には、例えば、本発明品を田植え直後の水田にて使用するに際して、前記泥面引掻き手段Ａの各線体３が、この水田の泥面７から略２０ｍｍの深さ位置から下層に向けて根を張る稲の苗（作物ｂ）には確実に到達し得ず、一方、この泥面引掻き手段Ａの根切り機能によって根を掻き切りたい例えばヒエなどの雑草ａは、泥面７から泥面７の下層に向けて略５ｍｍ〜略１０ｍｍの深さに根を張っている為、この各線体３がこの雑草ａの根に確実に到達し得、根切り機能を発揮できることとなる。
【００４７】
また、例えば、前記雑草引掛け手段Ｂは、前記泥面引掻き手段Ａの各線体３の後方に縦列配設する複数の線体５から成る第一引掛け部Ｂ１と、この第一引掛け部Ｂ１の後方に縦列配設する複数の線体５から成る第二引掛け部Ｂ２とで構成し、前記第一引掛け部Ｂ１は、前記泥面引掻き手段Ａに根を掻き切られた雑草ａを各線体５の引掛け突部５ａに引っ掛けて前記泥面７から抜き出せるように各線体５の可撓性を設定し、前記第二引掛け部Ｂ２は、前記泥面７の上面に生える苔や水草などの雑草ａを各線体５の引掛け突部５ａに引っ掛けて泥面７から除草できるように各線体５の可撓性を設定した場合には、例えば、先ず、泥面７の下層に強固に根を張る雑草ａの根を泥面引掻き手段Ａで掻き切った後、雑草引掛け手段Ｂの第一引掛け部Ｂ１により雑草ａを引っ掛けてこの泥面７から除去し、次いで、この第一引掛け部Ｂ１で除去しきれなかった残余を第二引掛け部Ｂ２により除去するといった段階的に雑草ａを除去する構成とすることができる。
【００４８】
従って、例えば、前記第一引掛け部Ｂ１は、複数の線体５を下方突出状態にして前記除草体２の牽引走行方向と略直交する左右方向に所定間隔を介して並設配設し、この複数の線体５の並設方向に所定間隔を介して複数の引掛け突部５ａを並設配設した構成とすれば、この第一引掛け部Ｂ１の各線体５の可撓性を低く（撓みにくく）設定し、規則的に配列された作物ｂはこの複数並設状態の引掛け突部５ａ間の隙間を通過させて引っ掛けることはなく、乱雑に生え広がった雑草ａはこの複数並設状態の引っ掛け突部５ａにより引っ掛けて泥面７から力強く引っこ抜いて除去し得る構成にできることととなる。そして、第二引掛け部Ｂ２は、前記第一引掛け部Ｂ１で除去しきれなかったわずかな残余を泥面７から除去すれば良いから、即ち、力強く泥面７から引っこ抜かなければならないような前記泥面７に根を張る雑草ａは僅かしか残っておらず且つその他の泥面の上面に生える苔や水草なども軽い力で簡単に泥面から除去できることから、この第二引掛け部Ｂ２の各線体５の可撓性は前記第一引掛け部Ｂ１のそれよりも高く（撓み易く）設定すればよく、よって、この第二引掛け部Ｂ２を、例えば、複数の線体５を下方突出状態にして前記除草体２の牽引走行方向と略直交する左右方向に所定間隔を介して並設配設し、この複数の線体５の並設方向に略連続的に隙間無く複数の引掛け突部５ａを並設配設した構成とすれば、前記第一引掛け部Ｂ１で除去しきれなかった残余をこの略隙間無く並設配設された引掛け突部５ａに引掛けてそれだけ隈なく雑草ａを除去できると共にこの引掛け突部５ａが作物ｂに当接しても線体５が簡単に撓む為にこの作物ｂが泥面７から引っこ抜かれることはないなど、この第一引掛け部Ｂ１と第二引掛け部Ｂ２とで雑草引掛け部Ｂを構成することにより本発明居の秀れた除草機能を一層確実且つ良好に発揮し得ることとなる。
【００４９】
また、例えば、前記雑草引掛け手段Ｂは、各線体５の下端側を屈曲してこの各線体５の下端側に引掛け突部５ａを設けた構成とした場合には、単に各線体５を屈曲成形してこの雑草引掛け手段Ｂの各線体５を極めて簡易に生産可能な簡易構成となる。
【００５０】
また、例えば、前記走行体１を走行する走行駆動源１ａの駆動力によって前記雑草引掛け手段Ｂの各線体５を上下揺動する揺動機構６を備えた場合には、この雑草引掛け部Ｂの各線体５の引掛け突部５ａに雑草ａが絡み付いても、この揺動機構６による各線体５ａの上下揺動によってこの絡み付いた雑草ａを自動的に振り払うことで、この各線体５ａの引掛け突部５ａに大量に雑草ａが絡み付いて雑草ａを引掛ける機能が低減してしまうことを良好に阻止されることとなる。即ち、例えば走行体１や除草体２を手動により上下揺動させたりする力を要する作業が不要で、走行体１の走行駆動源１ａの駆動力を利用して自動的に引掛け突部５ａに絡み付いた雑草ａを振り払うことができる（特に、水がはられた水田のように泥面７上に水がある状態では、絡み付いた前記雑草ａを水中に良好に振り払えることとなる。）。
【００５１】
更に、例えば、前記走行体１の走行車輪８の外周部に設けた突出部８ａと当接する位置に当接押動部９を上下揺動自在に設けて、前記走行車輪８の走行回転時に前記当接押動部９がこの走行車輪８の突出部８ａと当接して前記当接押動部９が上下揺動するように構成すると共に、この当接押動部９の揺動に連動して前記線体５を上下揺動する連動機構10を備えて前記走行体１を走行する走行駆動源１ａの駆動力によって前記雑草引掛け手段Ｂの各線体５を上下揺動する揺動機構６を備えた場合には、各線体５の引掛け突部５ａに絡み付いた雑草ａを自動的に振り払える機能を確実に発揮し得る構成を簡易設計実現可能な構成となる。
【００５２】
また、例えば、前記走行体１は、泥面７として水が張られた水田の底面を、前記除草体２を牽引しながら走行し得る構成の走行体１を採用した構成とし、この泥面７としての水が張られた水田の底面（泥面７）をこの走行体１が走行すると共に前記除草体２の各線体３，５が泥面７を牽引することでこの泥面７の泥が泥面７上に張られた水中に攪拌されるように構成した場合には、前記走行体１により例えば田植え直後の水田のように水が張られて作物ｂと雑草ａとが混在する場所において上記秀れた除草機能を確実に発揮できることとなる。
【００５３】
また、泥面７としての水田の底面上に張られた水中に泥面（水田の底面）の泥を攪拌させることで、泥面７を濁らせて水中に生える雑草ａへの日光の透光を抑止したり、水中に攪拌された泥が新たに生育しようとする雑草ａに沈殿し、即ち、雑草ａが泥面７内に埋没されることで、新たな雑草ａの生育を防除する機能も確実に発揮でき、従って、除草機能と新たな雑草ａの生育防除機能とを水田において確実に発揮でき、水田の除草作業に極めて有効な除草装置となる。
【実施例】
【００５４】
本発明の具体的な実施例について図面に基づいて説明する。
【００５５】
本実施例は、泥面７を走行する走行体１に牽引されて牽引走行する除草体２をこの走行体１に設け、この除草体２は複数の線体３により前記泥面７を引っ掻く泥面引掻き手段Ａを備え、この泥面引掻き手段Ａの後方側に複数の線体５により前記泥面７に生える雑草ａを引っ掛ける雑草引掛け手段Ｂを備えた構成とし、前記泥面引掻き手段Ａは、複数の各線体３の下端を前記泥面７に沈み込ませると共にこの沈み込み深さＬを前記泥面７に生える雑草ａの根に到達し且つ作物ｂの根に到達しない所定深さＬに設定してこの線体３によりこの泥面７の下層の雑草ａの根を掻き切る根切り機能を有する構成とし、前記雑草引掛け手段Ｂは複数の各線体５の下端側を前記泥面７に当接すると共にこの各線体５の下端側に引掛け突部５ａを設けて、この各線体５の引掛け突部５ａが前記泥面７に生える雑草ａに当接した際にはこの雑草ａを引掛け突部５ａに引っ掛けて泥面７から除去し、且つこの引掛け突部５ａが前記泥面７に生える作物ｂに当接した際にはこの作物ｂとの当接押圧により線体５が撓み前記引掛け突部５ａが作物ｂに対して左右に回避動してこの作物ｂを泥面７から除去しないように雑草引掛け手段Ｂの各線体５の可撓性を設定した除草装置である。
【００５６】
走行体１は、図１に図示したように、後方左右に作業者が握柄する握柄部14ａを有する操作部14を設けた走行基体１ｂの前方に、走行駆動源１ａを有する駆動機構８ｂ及びこの駆動機構８ｂにより走行回転する走行車輪８を垂設した構成である。
【００５７】
尚、この走行車輪８の外周部には所定の角度間隔を介して外方に突出状態に複数の突出部８ａを設けている。具体的には、図１に図示したように、円環状の枠体の外周部に突出部８ａとしての板羽根を設けた構成である。
【００５８】
従って、前記走行駆動源１ａを駆動してこの走行車輪８を走行回転した際、この走行車輪８の前記複数の板羽根（突出部８ａ）が泥をかくことにより推進力が良好に生じ前記走行体１が良好に泥面７を走行する。
【００５９】
除草体２は、図１及び図２に図示したように、走行体１の走行基体１ｂの後方に、屈曲棒状の除草基体２ａを連設し、この屈曲棒状の除草基体２ａの後方側に泥面引掻き手段Ａ及び雑草引掛け部Ｂを縦列状態に設けた構成である。具体的には、泥面引掻き手段Ａは、前記複数の線体３を下方突出状態にして前記除草体２の牽引走行方向と交差する左右方向に並設状態に設けた構成とし、雑草引掛け手段Ｂは、前記泥面引掻き手段Ａの各線体３の後方にこの雑草引掛け手段Ｂの各線体５の引掛け突部５ａが縦列配設されるように複数の線体５を配設した構成としている。
【００６０】
従って、前記走行体１の走行時に、この除草体２の除草基体２ａが走行体１に牽引されて、前記泥面引掻き手段Ａ及び雑草引掛け部Ｂが走行体１の走行方向と等しい方向に牽引走行される。また、この際、除草体２の泥面引掻き手段Ａと雑草引掛け部Ｂとがこの除草体２の牽引走行方向と略直交する左右方向に配設されている為、それだけ左右に広い範囲の雑草ａが除去される。
【００６１】
この除草体２の除草基体２ａの後方側に設けた泥面引掻き手段Ａは、具体的には、図１に図示したように、この除草基体２ａの後方側に、除草体２の牽引走行方向と略直交する左右方向に横杆体12を設け、この横杆体12から後方に向けて下方突出状態に複数の線体３を設けた構成である。この横杆体12は、図２に図示したように、側面断面視形状がコ字状のアングル状杆体で、このコ字状対向内面に前記複数の線体３の各上端部を固定してこの横杆体12の長さ方向に並設状態にして前後方向に縦列状態に（二列に）前記複数の線体３を配設している。
【００６２】
また、泥面引掻き手段Ａの各線体３の下方側には、図２に図示したように、この線体３が前記泥面７に沈み込むことを阻止する沈み防止部４を設け、この沈み防止部４によって各線体３の前記泥面７に対する沈み込み深さＬを設定している。
【００６３】
この沈み込み防止部４は、図２に図示したように、下方突出状態に設けた前記複数の各線体３の垂下途中位置にこの各線体３の下方突出方向と交差方向にして前記泥面７に沿設方向に突出部４ａを設けている。
【００６４】
尚、本実施例においては、前記線体３及び沈み込み防止部４の突出部４ａとして夫々、一般的な針金を採用した構成としている。
【００６５】
従って、この泥面引掻き手段Ａの各線体３は、図２に図示したように泥面７と先端が当接すると共に各線体３の垂下途中位置に設けた突出部４ａが前記泥面７に沿設当接することで各線体３の沈み込みが各個に阻止されてこの泥面引掻き手段Ａの各線体３の沈み込み深さＬが確実に所定の深さＬとなる。
【００６６】
尚、この泥面引掻き手段Ａの各線体３の前記泥面７に対する沈み込み深さＬは、略５ｍｍ〜略１５ｍｍの深さＬ（本実施例においては、略１０ｍｍ）に設定している。
【００６７】
従って、この泥面引掻き手段Ａの各線体３は、例えば、泥面７から約２０ｍｍの深さ位置から下方に向けて根を張る稲の苗の根には到達できず、一方、泥面７から下層に向けて約５ｍｍ〜１０ｍｍの深さに根を張るヒエなどの水田に生える一般的な雑草ａの根には確実に到達できてこの雑草ａの根を掻き切れる根切り機能を有する。
【００６８】
尚、本実施例においては、沈み防止部Ｂは泥面引掻き手段Ａの各線体３に各個に突出部４ａを設けた構成としたが、これに限らず、例えば各線体３が所定深さＬだけ沈み込むように、走行体１若しくは除草体２自体に沈み防止用の浮き部材などを備えた構成とするなど、本実施例と同様の機能を発揮し得る構成であれば良い。
【００６９】
この除草体２の除草基体２ａの後方側にして前記泥面引掻き手段Ａの後方側に設けた雑草引掛け手段Ｂは、図１に図示したように、前記泥面引掻き手段Ａの各線体３の後方に縦列配設する複数の線体５から成る第一引掛け部Ｂ１と、この第一引掛け部Ｂ１の後方に縦列配設する複数の線体５から成る第二引掛け部Ｂ２とで構成している。
【００７０】
具体的には、第一引掛け部Ｂ１は、図１及び図２に図示したように、前記泥面引掻き手段Ａの複数の各線体３を設けた横杆体12の後方側外面部にこの第一引掛け部Ｂ１の複数の各線体５の上端を固定して、この横杆体12の長さ方向に複数並設状態にしてこの横杆体12から下方にして後方に突出状態に線体５を設けた構成である。
【００７１】
従って、この第一引掛け部Ｂ１の複数の線体５は除草体２の牽引走行方向と略直交する左右方向に所定間隔を介して並設配設される。
【００７２】
また、この第一引掛け部Ｂ１の複数の線体５は一般的な針金を折曲して構成したものであって、無垢な直線状の針金の垂下途中位置を、図１及び図５に図示したように、牽引走行方向と略直交する左右方向に、即ちこの第一引掛け部Ｂ１の複数の線体５の並設方向に折曲して引掛け突部５ａを形成した構成である。尚、図５に図示したように、この第一引掛け部Ｂ１の複数の線体５は、互いに近接状態にして下端部を反対方向に屈曲せしめてこの近接状態の一対の線体５により下端部がＴ字状を呈するようにこの第一引掛け部Ｂ１の複数の各線体５を並設して、複数の引掛け突部５ａが所定間隔を介して除草体２の牽引走行方向と略直交する左右方向に並設配設した構成である。
【００７３】
また、この第一引掛け部Ｂ１は、前記泥面引掻き手段Ａに根を掻き切られた雑草ａを各線体５の引掛け突部５ａに引っ掛けて前記泥面７から抜き出せるように、この第一引掛け部Ｂ１の各線体５の可撓性を設定している。
【００７４】
また、第二引掛け部Ｂ２は、除草基体２ａの前記横杆体12の後方側に、後述の揺動機構６を介して上下揺動自在にして前記除草体２の牽引走行方向と略直交する左右方向に揺動横杆体13を設け、この横杆体13から下方側にして後方側に突出状態に複数の線体５を設けることで、複数の線体５を下方突出状態にして前記除草体２の牽引走行方向と略直交する左右方向に所定間隔を介して並設配設した構成である。
【００７５】
この複数の線体５の並設方向に略連続的に隙間無く複数の引掛け突部５ａを並設配設されるようにこの複数の各線体５を構成している。
【００７６】
この各線体５の引掛け突部５ａは、一般的な針金を、図１及び図５に図示したように、蛇行状に折曲して、除草体２の牽引走行方向と略直交方向よりやや後方に傾いた引掛け突部５ａを各線体５毎に複数形成して構成している。尚、図１に図示したように、隣合う線体５の引掛け突部５ａ同志を略等しい蛇行状に折曲することで隣合う線体５の引掛け突部５ａの一部が牽引走行方向上に重なる位置に設けられている。
【００７７】
尚、この第二引掛け部Ｂ２の各線体５の引掛け突部５ａは、各線体５の後方突出方向に対して後方に傾いた状態にこの各引掛け突部５ａが前記泥面７を牽引されるように構成している。
【００７８】
従って、この第二引掛け部Ｂ２の各線体５の引掛け突部５ａが作物ｂに当接した際に、この線体５が左右方向に良好に撓んで各引掛け突部５ａが作物ｂに対して回避動する。
【００７９】
また、この第二引掛け部Ｂ２は、前記泥面７の上面に生える苔や水草などの雑草ａを各線体５の引掛け突部５ａに引っ掛けて泥面７から除草でき、且つ、作物ｂに各線体５の引掛け突部５ａを当接した際にはこの各線体５が良好に左右方向に撓むようにこの第二引掛け部Ｂ２の各線体５の可撓性を設定している。
【００８０】
従って、この第二引掛け部Ｂ２の各線体５の下端側は、図２に図示したように、前記泥面７に弾圧当接し、除草体２の牽引走行時においてはこの各線体５の下端側に位置する複数の引掛け突部５ａが前記泥面７に弾圧当接しながらこの泥面７を牽引されると共にこの泥面７の上面に生える苔や水草などの雑草ａを絡め取る。
【００８１】
尚、この第二引掛け部Ｂ２の各線体５は成形が容易なように全体が蛇行状の針金で形成しているが、線体５の下端側だけを突出部５ａを有する蛇行状に形成した形状としても良いし、他にも、本実施例と同様の作用効果を発揮する形状であれば良い。
【００８２】
また、本実施例では、この第二引掛け部Ｂ２の各線体５を下方突出状態にして複数並設状態に設ける揺動横杆体13を、前記走行体１に備えた走行駆動源１ａの駆動力によって上下揺動せしめる揺動機構６が前記雑草引掛け手段Ｂの各線体５を上下揺動する揺動機構６を備えている。
【００８３】
この揺動機構６は、前記走行体１の走行車輪８の外周部に設けた突出部８ａ（板羽根）と当接する位置に当接押動部９を上下揺動自在に設けて、前記走行車輪８の走行回転時に前記当接押動部９がこの走行車輪８の突出部８ａと当接して前記当接押動部９が上下揺動するように構成すると共に、この当接押動部９の揺動に連動して前記線体５を上下揺動する連動機構10を備えている。
【００８４】
具体的には、図１及び図２に図示したように、走行体１の走行基体１ｂの後方に揺動体15の所定位置を揺動回動自在に枢設し、この揺動体15の揺動軸15ａを介した前部に、前記当接押動部９を設けている。
【００８５】
従って、走行車輪８が正転回転（図３中、右回転）することで、走行車輪８の突出部８ａが前記揺動体15の当接押動部９に当接してこの当接押動部９を上動し、揺動体15の前記揺動軸15ａを介して前記当接押動部９と反対側の後部は下動する。
【００８６】
この揺動体15の前記揺動軸15ａを介して前記当接押動部９と反対側の後部は、除草体２の除草基体２ａの後方側に揺動軸16ａを軸に揺動回動自在に設けたもう一つの揺動体16の前部と枢着しており、図２及び図３に図示したように、前記揺動体15の後部が下動すると、除草基体２ａの後方側に設けたもう一つの揺動体16の前部が下動し後部が上動するように構成している。
【００８７】
前記除草体２の雑草引掛け手段Ｂの第二引掛け部Ｂ２の複数の線体５が設けられる揺動横杆体13は、この除草基体２ａの後方側に設けた前記もう一つの揺動体16の後方に設けており、このもう一つの揺動体16が揺動することで第二引掛け部Ｂ２の各線体５が上下揺動する構成である。
【００８８】
即ち、図３に図示したように、前記揺動機構６の連動機構10は、揺動体15の前部の当接押動部９が上部に押動して揺動体15の後部が下動することで、前記もう一つの揺動体16の前方が下動すると共にこのもう一つの揺動体16の揺動軸16ａを介して後方が上動し、このもう一つの揺動体16の後部に設けた前記揺動横杆体13が上動するように構成したものである。
【００８９】
また、図３に図示した前記当接押圧部９と走行車輪８の突出部８ａとの当接状態が、図２に図示したように解除された際には、自重により前記揺動横杆体13は下動し、それに伴って揺動部15及びもう一つの揺動体16も揺動軸15ａ，16ａを軸に回動する。
【００９０】
従って、揺動機構６は、走行車輪８の走行回転時に、この走行車輪８の外周部に設けた突出部８ａ（板羽根）が前記当接押動部９を上方に押動することにより前記第二引掛け部Ｂ２を上動せしめ（図３参照）、一方、この当接押動部９と前記走行車輪８の突出部８ａとの当接状態が解除されることで前記第二引掛け部Ｂ２を下動せしめる（図２参照）ように構成したものである。
【００９１】
尚、図中、符号17，18は、前記第二引掛け部Ｂ２がスムーズに上下揺動し得るように前記もう一つの揺動体16若しくは第二引掛け部Ｂ２をバネ付勢する補助バネ体17，18である。また、図中、符号19，20は、前記もう一つの揺動体16に設けた回動規制用長孔19，及び除草基体２ａの後部に突設した回動規制用突部20であり、図２及び図３に図示したように、このもう一つの揺動体16に設けた回動規制用長孔19に前記除草基体２ａの回動規制用突部20が貫通配設されることで、このもう一つの揺動体16の揺動回動範囲が規制されるように構成するものである。
【００９２】
本実施例は上述のように構成したから、走行体１で泥面７を走行して除草体２を泥面７に牽引走行することで、図４（ａ），（ｂ）に図示したように、この除草体２の泥面引掻き部Ａの複数の線体３の下端側により泥面７の上面から所定深さＬ（本実施例においては略１０ｍｍ）までの位置に根を張る雑草ａの根をこの泥面引掻き部Ａの根切り機能によって掻き切ることができる。
【００９３】
また、この所定深さＬよりも深い位置から下方に向けて根を張る作物ｂ（例えば、深さ約２０ｍｍの位置から下方に向けて根を張る稲の苗など）の根は掻き切ることはない。
【００９４】
また、図４（ｃ）に図示したように、前記泥面引掻き手段Ａの根切り機能により根を掻き切られて泥面７から抜け易くなった状態の雑草ａを除草体２の雑草引掛け手段Ｂの第一引掛け部Ｂ１の各線体５の引掛け突部５ａに引っ掛けてこの泥面７から引き抜き、除去できる。
【００９５】
また、この第一引掛け部Ｂ１の複数の線体５の各引掛け突部５ａ間には隙間を有している為、例えば水田に植えられた稲の苗のように、列状に規則正しく植えられた作物ｂはこの第一引掛け部Ｂ１の各引掛け突部５ａ間の隙間を（引っ掛けて泥面７から引き抜くことなく）通過させることができ、乱雑に生え広がった雑草ａだけをこの第一引掛け部Ｂ１の各引掛け突部５ａに引っ掛けて泥面７から引き抜くことができる。また、この第一引掛け部Ｂ１の各引掛け突部５ａが作物ｂに当接した場合にも、この作物ｂは根を切られておらずこの泥面７に強固に植わっている為、この第一引掛け部Ｂ１の各線体５が左右に撓んで各引掛け突部５ａが作物ｂに対して左右に回避動し、よって、作物ｂがこの第一引掛け部Ｂ１の引掛け突部５ａにより泥面７から引き抜かれることはない。
【００９６】
また、第二引掛け部Ｂ２は、第一引掛け部Ｂ１で除去し切れなかった雑草ａを、隙間無く配設されたこの台に引掛け部Ｂ２の複数の引掛け突部５ａにより引っ掛けたり絡め取ったりして泥面７から除去できる。
【００９７】
また、この第二引掛け部Ｂ２は下端部が泥面７に弾圧当接すると共に各線体５に複数の引掛け部５ａが形成されており、特にこの泥面７の上面に生える苔や水草などの雑草ａを良好に絡め取り泥面７から除去できる。
【００９８】
従って、本実施例品は、例えば図５（ａ）に図示したように、作物ｂとして稲の苗が植えられた水田において、先ず泥面引掻き手段Ａの根切り機能により稲の苗の根は掻き切ることなく、この水田の底面（泥面７）の下層に根を張るタイプの雑草ａの根を根だけを掻き切ったうえで、この根切りされて抜き取り易くなったヒエなどの雑草ａを雑草引掛け手段Ｂの第一引掛け部Ｂ１で泥面７から引き抜いて除去でき、次いで、図５（ｂ）に図示したように、雑草引っ掛け手段Ｂの第二引掛け部Ｂ２の各線体５の引っ掛け突部５ａにより、泥面７の上面に生えるタイプの苔や水草などの雑草ａを良好に絡め取り泥面７から除去でき、よって、例えば田植え直後の水田のように、稲の苗（作物ｂ）を泥面７から引き抜いて除去してしまうことなく、厄介なヒエや水草などの雑草ａの除去作業を機械的に効率良く達成できることとなる。
【００９９】
よって、本実施例は、例えば、稲の苗（作物ｂ）が植えられた水田での除草作業を行う場合に、これまでにおいては作業者が水田に入って雑草を手刈りする重労働や除草剤を使用しての薬剤除草が必須であったところを、本発明品においては、重労働や薬剤などを一切不要とし稲の苗（作物ｂ）の生育を防除することなく、雑草だけを選択的に、且つ機械的に効率良く除草することができるなど、極めて実用性に秀れた除草装置となる。
【０１００】
また、本実施例は、除草体２の雑草引掛け手段Ｂの第一引掛け部Ｂ１で例えばヒエなどのように泥面７の下層に根を張るタイプの雑草ａを泥面７から引き抜いて良好に除去できる。また、この泥面７の下層に根を張るタイプの雑草ａのうちの前記第一引掛けＢ１で除去しきれなかった僅かな残余分の雑草ａ（例えば、この第一引掛け部Ｂ１の複数の引掛け突部５ａ間の隙間を通過した雑草ａ）を第二引掛け部Ｂ２の蛇行状の各線体５の引掛け突部５ａで泥面７から引き抜いて除去すると共に、この泥面７に対して弾圧当接する第二引掛け部Ｂ２の各引掛け突部５ａによって、この泥面７の上面に生えるタイプの苔や水草などの雑草ａも良好に絡め取って泥面７から除去でき、よって、例えば水田などに生える代表的なヒエなどの泥面７の下層に根を張るタイプの雑草ａも、水草などの泥面７の上面に生えるタイプの雑草ａも、本実施例品においては可及的に取り残し無く良好に泥面７から除去でき、よって、一層秀れた除草機能を有する実用性に秀れた除草装置となる。
【０１０１】
また、主に泥面７の上面に生えるタイプの雑草ａを絡め取る前記第二引掛け部Ｂ２には、苔や水草などの雑草ａが絡み付き易く、雑草ａが大量に絡み付いてしまうと新たに雑草ａを絡み取りにくくなり除草機能が低減してしまうが、本実施例においては、揺動機構６により第二引掛け部Ｂ２を自動的に上下揺動せしめて第二引掛け部Ｂ２に絡み付いた雑草ａを自動的に（例えば、作業者が操作部14を上下動して手動により走行体１や除草体２を上下動せしめて第二引掛け部Ｂ２に絡み付いた雑草ａを振り払ったりする必要がなく）極めて簡単に取り払うことができる。特に水田などの泥面７の上に水が張られた状態ではこの上下揺動によって前記第二引掛け部Ｂ２に絡み付いた雑草ａが極めて良好に水中に振り払われて前記第二引掛け部Ｂ２の除草機能の低減を確実に阻止でき、この点においても、一層秀れた除草機能を有するものとなる。
【０１０２】
また、このように第二引掛け部Ｂ２を上下揺動せしめる前記揺動機構６は、走行体１の走行駆動源１ａの駆動力を利用して第二引掛け部Ｂ２を上下揺動せしめる構成の為、第二引掛け部Ｂ２を上下揺動するための駆動源を別途に設ける必要が一切なく、それだけ簡易な構成でありながら秀れた秀れた除草機能を達成し得るなど、この点においても一層実用性に秀れる。
【０１０３】
また、本実施例に係る除草装置は、単に水田などの泥面７に生えた雑草ａを除去する秀れた除草機能を有するだけでなく、水が張られた水田の底面のように、泥面７上に水が張られた状況において使用した場合においては、この水が張られた泥面７を走行体１が走行すると共に前記除草体２の複数の各線体３，５が泥面７を牽引することでこの泥面７の泥を泥面７上に張られた水中に攪拌せしめることができ、よって、この泥面７上の水中を泥によって濁らせることで水中に生える雑草ａへの日光の透光を抑止して生育を防除したり、水中に攪拌された泥が新たに生育しようとする雑草ａに沈殿し、即ち、雑草ａが泥面７内に埋没されることで、新たな雑草ａの生育を防除する機能も確実に発揮でき、従って、除草機能と新たな雑草ａの生育防除機能とを水田のように泥面７上に水が張られた状況において確実に発揮でき、例えば、田植え直後の水田の除草作業などにおいて極めて有効な除草装置となる。
【０１０４】
尚、本発明は、本実施例に限られるものではなく、各構成要件の具体的構成は適宜設計し得るものである。
【図面の簡単な説明】
【０１０５】
【図１】本実施例に係る除草装置の説明斜視図である。
【図２】本実施例に係る除草装置の使用状態を示す側面図である。
【図３】本実施例に係る除草装置の使用状態を示す側面図である。
【図４】本実施例に係る除草装置の泥面引掻き手段Ａ及び雑草引掛け手段Ｂの第一引掛け部Ｂ１を示す側断面図である。
【図５】本実施例に係る除草装置の泥面引掻き手段Ａ及び雑草引掛け手段Ｂの説明概略斜視図である。
【符号の説明】
【０１０６】
１  走行体
１ａ  走行駆動源
２  除草体
３  線体
４  沈み防止部
４ａ  突出部
５  線体
５ａ  引掛け突部
６  揺動機構
７  泥面
８  走行車輪
８ａ  突出部
９  当接押動部
10  連動機構
Ａ  泥面引掻き手段
Ｂ  雑草引掛け手段
Ｂ１  第一引掛け部
Ｂ２  第二引掛け部
Ｌ  深さ
ａ  雑草
ｂ  作物
【図１】
2007097410.tif 000003
【図２】
2007097410.tif 000004
【図３】
2007097410.tif 000005
【図４】
2007097410.tif 000006
【図５】
2007097410.tif 000007